(57)【要約】【課題】従来の記録装置では、外部からの埃塵や損傷などにより視認性に悪影響を及ぼすリスクがある。【解決手段】プリンター１は、少なくとも一部が透光性を有する部材で構成されたタンク２１と、タンク２１を覆う筐体２と、を備え、筐体２の少なくとも一部には、タンク２１内の液体を視認可能な、透明カバー５が設けられていることを特徴とする。【選択図】図１
2018001446.tif 000002
【特許請求の範囲】
【請求項１】
少なくとも一部が透光性を有する部材で構成されたタンクと、
前記タンクを覆う筐体と、を備え、
前記筐体の少なくとも一部には、前記タンクの内部に収容された液体を視認可能な、視認可能部材が設けられていることを特徴とする記録装置。
【請求項２】
請求項１に記載の記録装置であって、
前記筐体の壁面の一部に、前記視認可能部材が貼り付けられていることを特徴とする記録装置。
【請求項３】
請求項１に記載の記録装置であって、
前記筐体の壁面の一部に、前記視認可能部材が前記筐体に対して開閉可能に取り付けられていることを特徴とする記録装置。
【請求項４】
請求項１から３のいずれか一項に記載の記録装置であって、
前記視認可能部材は、樹脂材料で形成されていることを特徴とする記録装置。
【請求項５】
請求項１から４のいずれか一項に記載の記録装置であって、
前記筐体は、外側に突出する部分を有し、
前記タンクは、前記筐体における前記突出する部分の内部に配置されていることを特徴とする記録装置。
【請求項６】
請求項５に記載の記録装置であって、
前記筐体の内部に配置され、前記液体を媒体に対して噴射する記録部と、
前記筐体の正面に設けられ、前記記録部により記録された前記媒体を排出する排出部と、を有し、
前記突出する部分は、前記筐体の前記正面において、前記排出部に対して少なくとも一方のコーナー側に配置されていることを特徴とする記録装置。
【請求項７】
請求項１から６のいずれか一項に記載の記録装置であって、
前記タンクは、前記液体を注入可能な注入口を有することを特徴とする記録装置。
【発明の詳細な説明】
【技術分野】
【０００１】
本発明は、媒体に記録を行う記録装置に関する。
【背景技術】
【０００２】
記録装置の一例であるインクジェットプリンターには、記録ヘッドを搭載したキャリッジが主走査方向に往復動しつつ該記録ヘッドから媒体に液体（その一例であるインク）を吐出して記録を実行するように構成された、所謂シリアル式のものがある。またキャリッジが往復動せず記録を実行するように構成された所謂ライン式のものがある。
また、キャリッジ上とは別に設けられたインクタンク（以下、タンクと呼ぶ）から液体を記録ヘッドに向けて供給する構成が知られている。
【０００３】
また、タンクの構成としては、交換式のもの、あるいは注入式のものが知られており、タンクが透光性を有する部材で構成されており、ユーザーが液体の残量を視認できるように構成されていることが一般的である（例えば、特許文献１参照）。
【先行技術文献】
【特許文献】
【０００４】
【特許文献１】特開２０１４−０５４８２３号公報
【発明の概要】
【発明が解決しようとする課題】
【０００５】
特許文献１に記載の記録装置では、タンクの表面が外部に露出し、視認可能な構成となっている。
【０００６】
しかしながら、タンクの表面が外部に露出しているため、外部からの埃塵や、損傷などにより、視認性に悪影響を及ぼすリスクがあった。
【０００７】
そこで本発明はこの様な問題に鑑み成されたものであり、その目的は、視認性を確保しつつ、外部からの埃塵や損傷を防止することにある。
【課題を解決するための手段】
【０００８】
本発明は、上述の課題の少なくとも一部を解決するためになされたものであり、以下の形態または適用例として実現することが可能である。
【０００９】
［適用例１］本適用例に係る記録装置は、少なくとも一部が透光性を有する部材で構成されたタンクと、前記タンクを覆う筐体と、を備え、前記筐体の少なくとも一部には、前記タンクの内部に収容された液体を視認可能な、視認可能部材が設けられていることを特徴とする。
【００１０】
本適用例の構成によれば、タンクを覆う筐体の少なくとも一部に、タンクの内部に収容された液体を視認可能な視認可能部材が設けられているので、タンクの内部に収容された液体を外部から視認可能であり、かつ、外部からの埃塵の侵入や外部からの接触等による損傷を防止できる。
【００１１】
［適用例２］上記適用例に係る記録装置であって、前記筐体の壁面の一部に、前記視認可能部材が貼り付けられていることが好ましい。
【００１２】
本適用例の構成によれば、視認可能部材が筐体の壁面の一部に貼り付けられているので、視認可能部材が筐体から不用意に外れてしまうことを防止できる。
【００１３】
［適用例３］上記適用例に係る記録装置であって、前記筐体の壁面の一部に、前記視認可能部材が前記筐体に対して開閉可能に取り付けられていることが好ましい。
【００１４】
本適用例の構成によれば、視認可能部材が筐体に対して開閉可能に取り付けられているので、例えばタンクに液体を補充するなどの、必要に応じて視認可能部材を開けて内部のタンクを露出させることができる。
【００１５】
［適用例４］上記適用例に係る記録装置であって、前記視認可能部材は、樹脂材料で形成されていることが好ましい。
【００１６】
本適用例の構成によれば、視認可能部材を樹脂材料で形成することで、ガラス等で形成する場合と比べて、容易に加工を行うことができるので、生産コストを低減することができる。
【００１７】
［適用例５］上記適用例に係る記録装置であって、前記筐体は、外側に突出する部分を有し、前記タンクは、前記筐体における前記突出する部分の内部に配置されていることが好ましい。
【００１８】
本適用例の構成によれば、タンクが筐体の突出する部分の内部に配置されているので、筐体の幅を抑えてタンクの容量を大きくできる。
【００１９】
［適用例６］上記適用例に係る記録装置であって、前記筐体の内部に配置され、前記液体を媒体に対して噴射する記録部と、前記筐体の正面に設けられ、前記記録部により記録された前記媒体を排出する排出部と、を有し、前記突出する部分は、前記筐体の前記正面において、前記排出部に対して少なくとも一方のコーナー側に配置されていることが好ましい。
【００２０】
本適用例の構成によれば、タンクは筐体の正面のうち排出部に対して少なくとも一方のコーナー側に配置されているので、筐体の内部のスペースを有効に活用できる。
【００２１】
［適用例７］上記適用例に係る記録装置であって、前記タンクは、前記液体を注入可能な注入口を有することが好ましい。
【００２２】
本適用例の構成によれば、注入口からタンクに液体を注入できるので、タンクを交換する作業を不要にでき、液体が無くなった際に容易にタンクに液体を補充することができる。
【図面の簡単な説明】
【００２３】
【図１】実施例１に係るプリンターの外観を示す斜視図。
【図２】実施例１に係るプリンターの外観を示す斜視図。
【図３】実施例１に係るプリンターの主要構成を示す斜視図。
【図４】実施例２に係るプリンターの外観を示す斜視図。
【図５】実施例２に係るプリンターの外観を示す斜視図。
【図６】実施例３に係るプリンターの外観を示す斜視図。
【図７】実施例３に係るプリンターの外観を示す斜視図。
【図８】実施例４に係るプリンターの外観を示す斜視図。
【図９】実施例４に係るプリンターの外観を示す斜視図。
【図１０】実施例５に係るプリンターの外観を示す斜視図。
【図１１】実施例５に係るプリンターの外観を示す斜視図。
【図１２】実施例６に係るプリンターの外観を示す斜視図。
【図１３】実施例６に係るプリンターの外観を示す斜視図。
【図１４】実施例７に係るプリンターの外観を示す斜視図。
【図１５】実施例７に係るプリンターの外観を示す斜視図。
【図１６】実施例８に係るプリンターの外観を示す斜視図。
【図１７】実施例８に係るプリンターの外観を示す斜視図。
【図１８】実施例９に係るプリンターの外観を示す斜視図。
【図１９】実施例９に係るプリンターの外観を示す斜視図。
【図２０】実施例１０に係るプリンターの外観を示す斜視図。
【図２１】実施例１０に係るプリンターの外観を示す斜視図。
【図２２】実施例１１に係るプリンターの外観を示す斜視図。
【図２３】実施例１２に係るプリンターの外観を示す斜視図。
【図２４】実施例１３に係るプリンターの外観を示す斜視図。
【図２５】実施例１４に係るプリンターの外観を示す斜視図。
【図２６】実施例１５に係るプリンターの外観を示す斜視図。
【図２７】実施例１６に係るプリンターの外観を示す斜視図。
【図２８】実施例１７に係るプリンターの外観を示す斜視図。
【図２９】実施例１８に係るプリンターの外観を示す斜視図。
【図３０】実施例１９に係るプリンターの外観を示す斜視図。
【図３１】実施例１９に係るプリンターの外観を示す斜視図。
【図３２】実施例２０に係るプリンターの外観を示す斜視図。
【図３３】実施例２０に係るプリンターの外観を示す斜視図。
【図３４】実施例２１に係るプリンターの外観を示す斜視図。
【図３５】実施例２２に係るプリンターの外観を示す斜視図。
【図３６】実施例２３に係るプリンターの外観を示す斜視図。
【図３７】実施例２４に係るプリンターの外観を示す斜視図。
【図３８】実施例２５に係るプリンターの外観を示す斜視図。
【図３９】実施例２６に係るプリンターの外観を示す斜視図。
【図４０】実施例２７に係るプリンターの外観を示す斜視図。
【図４１】実施例２８に係るプリンターの外観を示す斜視図。
【図４２】実施例２９に係るプリンターの外観を示す斜視図。
【図４３】実施例３０に係るプリンターの外観を示す斜視図。
【図４４】実施例３１に係るプリンターの外観を示す斜視図。
【図４５】実施例３１に係るプリンターの外観を示す斜視図。
【図４６】実施例３２に係るプリンターの外観を示す斜視図。
【図４７】実施例３２に係るプリンターの外観を示す斜視図。
【図４８】実施例３３に係るプリンターの外観を示す斜視図。
【図４９】実施例３３に係るプリンターの外観を示す斜視図。
【図５０】実施例３４に係るプリンターの外観を示す斜視図。
【図５１】実施例３４に係るプリンターの外観を示す斜視図。
【図５２】実施例３５に係るプリンターの外観を示す斜視図。
【図５３】実施例３６に係るプリンターの外観を示す斜視図。
【図５４】実施例３７に係るプリンターの外観を示す斜視図。
【図５５】実施例３８に係るプリンターの外観を示す斜視図。
【図５６】実施例３９に係るプリンターの外観を示す斜視図。
【図５７】実施例４０に係るプリンターの外観を示す斜視図。
【図５８】実施例４１に係るプリンターの外観を示す斜視図。
【図５９】実施例４２に係るプリンターの外観を示す斜視図。
【図６０】実施例４２に係るプリンターの外観を示す斜視図。
【図６１】実施例４３に係るプリンターの外観を示す斜視図。
【図６２】実施例４３に係るプリンターの外観を示す斜視図。
【図６３】実施例４４に係るプリンターの外観を示す斜視図。
【図６４】実施例４４に係るプリンターの外観を示す斜視図。
【図６５】実施例４５に係るプリンターの外観を示す斜視図。
【図６６】実施例４６に係るプリンターの外観を示す斜視図。
【図６７】実施例４７に係るプリンターの外観を示す斜視図。
【図６８】実施例４７に係るプリンターの外観を示す斜視図。
【図６９】実施例４８に係るプリンターの外観を示す斜視図。
【図７０】実施例４８に係るプリンターの外観を示す斜視図。
【発明を実施するための形態】
【００２４】
記録装置の一例であるインクジェットプリンター（以下、プリンターと呼ぶ）を例に、実施形態を説明する。本実施形態に係るプリンターは、液体の一例であるインクによって、記録用紙などの記録媒体に印刷を行うことができる。本実施形態に係るプリンターでは、基本構成が共通であって、プリンターの外殻を構成する筐体を様々に異ならせた実施例が用意されている。
【００２５】
以下に、本実施形態の各実施例について、図面を参照しながら説明する。なお、各図面において、それぞれの構成を認識可能な程度の大きさにするために、構成や部材の縮尺が異なっていることがある。また、説明に必要な構成要素以外を省略することがある。
【００２６】
（実施例１）
図１及び図２は、実施例１に係るプリンターの外観を示す斜視図である。図１及び図２には、相互に直交する座標軸であるＸＹＺ軸が付されている。これ以降に示す図についても、必要に応じてＸＹＺ軸が付されている。本実施形態の各実施例では、Ｘ軸とＹ軸とによって規定される水平な平面（ＸＹ平面）にプリンター１を配置した状態が、プリンター１の使用状態である。ＸＹ平面にプリンター１を配置したときのプリンター１の姿勢を、プリンター１の使用姿勢と呼ぶ。
【００２７】
Ｚ軸は、水平な平面に直交する軸である。プリンター１の使用状態において、Ｚ軸に沿った方向が鉛直方向となる。そして、プリンター１の使用状態では、図１及び図２において、−Ｚ方向が鉛直下方向である。なお、ＸＹＺ軸のそれぞれにおいて、矢印の向きが＋（正）の方向を示し、矢印の向きとは反対の向きが−（負）の方向を示している。図１は、プリンター１を＋Ｘ方向側から見た斜視図である。図２は、プリンター１を−Ｘ方向側から見た斜視図である。
【００２８】
図１及び図２に示すように、実施例１に係るプリンター１は、筐体２と、操作パネル３と、排出部としての排紙部４と、視認可能部材としての透明カバー５と、蓋６と、カバー９と、カバー１０と、を有している。また、プリンター１は、スキャナーユニット（図示しない）を含んでいる。すなわち、プリンター１は、スキャナーユニットを含む複合機である。なお、プリンター１が複合機ではなく、スキャナーユニットを含まないプリンターであってもよい。
【００２９】
筐体２は、プリンター１の外殻を構成している。操作パネル３は、筐体２の外側に配置されている。操作パネル３は、プリンター１において、排紙部４が配置された側の面（正面１１）に配置されている。操作パネル３は、電源ボタン７や、表示パネル８などを含んでいる。なお、表示パネル８としては、例えば、タッチパネルなどのユーザーによる入力を受け付け可能なパネルを採用することができる。また、操作パネル３の傾斜を調整（チルト調整とも呼ばれる）可能な構造としてもよい。操作パネル３の傾斜を調整することができれば、ユーザーが所望の傾斜で操作パネル３を見たり操作したりすることができるので、利便性が高められる。
【００３０】
排紙部４は、筐体２における操作パネル３と同じ側の面に設けられている。プリンター１では、排紙部４から記録媒体Ｐ（図３参照）が排出される。プリンター１において、排紙部４が設けられている面が正面１１とされている。プリンター１の正面１１が筐体２の正面１１でもある。本実施例では、操作パネル３の外面及び排紙部４の外端部のＹ軸方向における位置は、筐体２の正面１１の外面のＹ軸方向における位置と略同一である。
【００３１】
筐体２は、正面１１と交差する上面１２と、正面１１及び上面１２と交差する側壁１３及び側壁１４とを有している。正面１１を正面に見たとき、すなわち正面１１を＋Ｙ方向側から平面視したとき、側壁１３は正面１１の＋Ｘ方向側に位置しており、側壁１４は正面１１の−Ｘ方向側に位置している。筐体２のうち、操作パネル３及び排紙部４の＋Ｘ方向側（正面１１と側壁１３とのコーナー側）の部分は、操作パネル３及び排紙部４が設けられた部分よりも＋Ｙ方向側に突出している。
【００３２】
視認可能部材としての透明カバー５は、筐体２の正面１１側に設けられている。透明カバー５は、筐体２のうち、操作パネル３及び排紙部４が設けられた部分よりも＋Ｙ方向側に突出した部分に配置されている。したがって、透明カバー５は、Ｘ軸方向において操作パネル３及び排紙部４よりも側壁１３側（＋Ｘ方向側）、かつ、Ｙ軸方向において操作パネル３及び排紙部４よりも手前側（＋Ｙ方向側）に配置されている。
【００３３】
透明カバー５は、正面１１（ＸＺ平面）に沿った面を有している。詳細な図示は省略するが、筐体２の透明カバー５が配置される部分には開口部が設けられており、その開口部を塞ぐように、透明カバー５が、例えば接着剤等により筐体２の壁面に貼り付けられている。したがって、透明カバー５が筐体２から不用意に外れてしまうことを防止できる。なお、透明カバー５を筐体２に固定する方法は、接着に限定されず、溶着や嵌合等他の固定方法を採用することもできる。
【００３４】
透明カバー５は、透光性を有する樹脂材料で形成されている。透明カバー５を樹脂材料で形成することで、ガラス等で形成する場合と比べて、容易に加工を行うことができるので、生産コストを低減することができる。
【００３５】
蓋６は、筐体２の正面１１側に設けられている。蓋６は、筐体２のうち操作パネル３及び排紙部４が設けられた部分よりも＋Ｙ方向側に突出した部分における、透明カバー５の上方側（＋Ｚ方向側）に配置されている。
【００３６】
蓋６は、筐体２に対して開閉可能に構成されている。より具体的には、蓋６は、図１に矢印で示すＲ１方向に回動可能に構成されている。Ｒ１方向は、Ｘ軸に沿った軸を回転軸として、＋Ｘ方向側からＹＺ平面を平面視したときに時計回りの方向に相当する。蓋６を筐体２に対してＲ１方向に回動させることによって、蓋６を筐体２に対して開くことができる。蓋６を開いた状態から蓋６をＲ１方向とは反対方向に回動させることによって、蓋６を筐体２に対して閉じることができる。
【００３７】
カバー９とカバー１０とは、それぞれ、筐体２の一部を構成している。カバー９とカバー１０とは、筐体２の上面１２に設けられている。カバー９は、上面１２のうち−Ｙ方向側の一端に設けられている。カバー１０は、カバー９の＋Ｙ方向側に位置している。
【００３８】
カバー９は、蓋６と同様のＲ１方向に回動可能に構成されている。カバー９を筐体２に対してＲ１方向に回動させることによって、カバー９を筐体２に対して開くことができる。カバー９を開いた状態からカバー９をＲ１方向とは反対方向に回動させることによって、カバー９を筐体２に対して閉じることができる。このように、カバー９は、筐体２に対して開閉可能に構成されている。
【００３９】
カバー９を筐体２に対して開くと、給紙部（図示しない）が露呈する。給紙部から記録媒体Ｐをプリンター１に供給することができる。給紙部から記録媒体Ｐをプリンター１に供給するとき、カバー９で記録媒体Ｐを支えることができる。つまり、カバー９はペーパーサポートの機能を含んでいる。
【００４０】
カバー１０は、スキャナーユニット（図示しない）を覆っている。カバー１０は、蓋６と同様のＲ１方向に回動可能に構成されている。カバー１０を筐体２に対してＲ１方向に回動させることによって、カバー１０を筐体２に対して開くことができる。カバー１０を開いた状態からカバー１０をＲ１方向とは反対方向に回動させることによって、カバー１０を筐体２に対して閉じることができる。このように、カバー１０は、筐体２に対して開閉可能に構成されている。
【００４１】
カバー１０を筐体２に対して開くと、スキャナーユニットが露呈する。スキャナーユニットは、フラットベッドタイプであり、イメージセンサーなどの撮像素子（図示せず）を有している。スキャナーユニットは、用紙などの媒体に記録された画像などを、撮像素子を介して画像データとして読み取ることができる。このため、スキャナーユニットは、画像などの読み取り装置として機能する。
【００４２】
Ｘ軸方向においては、筐体２の長さとカバー１０の長さとは略同一である。Ｙ軸方向においては、筐体２の操作パネル３が設けられた位置における長さはカバー１０の長さと略同一であるが、筐体２の透明カバー５及び蓋６が設けられた位置における長さはカバー１０の長さよりも長い。
【００４３】
したがって、プリンター１の上面１２を＋Ｘ方向側から平面視したとき、カバー１０は筐体２のうち＋Ｙ方向側に突出している部分以外と重なる。すなわち、プリンター１の上面１２を＋Ｘ方向側から平面視したとき、筐体２のうち＋Ｙ方向側に突出している部分に設けられた透明カバー５及び蓋６は、カバー１０と重ならないように配置されている。これにより、蓋６を筐体２に対してＲ１方向に回動させる際、カバー１０に阻害されることなく蓋６を回動させることができる。
【００４４】
プリンター１の筐体２内部の主要構成を説明する。図３は、実施例１に係るプリンターの主要構成を示す斜視図である。図３に示すように、プリンター１は、記録部としての記録ヘッド１５と、制御部１６と、タンクユニット２０と、を有している。記録ヘッド１５と、制御部１６と、タンクユニット２０とは、筐体２に収容されている。
【００４５】
記録ヘッド１５は、インクをインク滴として吐出（噴射）して、記録媒体Ｐに記録を行う。記録ヘッド１５は、搬送装置（図示しない）で＋Ｙ方向に搬送される記録媒体Ｐに、インクで記録を行う。なお、搬送装置は、記録用紙などの記録媒体Ｐを、＋Ｙ方向に間欠的に搬送する。記録ヘッド１５は、移動装置（図示しない）によって、Ｘ軸に沿って往復移動可能に構成されている。制御部１６は、上記の各構成の駆動を制御する。
【００４６】
タンクユニット２０は、筐体２のうち操作パネル３及び排紙部４よりも＋Ｙ方向側に突出した部分（図１及び図２参照）の内側に配置されている。したがって、タンクユニット２０は、Ｘ軸方向において操作パネル３及び排紙部４と側壁１３との間に位置している。他の観点では、プリンター１を正面に見たとき、すなわちプリンター１を＋Ｙ方向側から見たとき、タンクユニット２０は、透明カバー５（図１及び図２参照）の内側（−Ｙ方向側）に配置されている。
【００４７】
本実施例では、タンクユニット２０が４つのタンク２１を含んでいる。なお、タンクユニット２０におけるタンク２１の個数は、４つに限定されず、４つを下回る個数や、４つを超える個数としてもよい。本実施例では、４つのタンク２１がＸ軸に沿って並んで配置されている。
【００４８】
また、本実施例では、複数のタンク２１が互いに別体で構成されている。しかしながら、タンク２１の構成は、これに限定されない。複数のタンク２１を一体にしてタンクユニット２０を１つの液体収容体とする構成としてもよい。このような構成の場合、タンクユニット２０は、互いに個別のタンク２１に仕切られ、異なる種類の液体を収容可能に構成される。この場合、例えば、複数のタンク２１に、異なる色のインクを個別に収容することができる。
【００４９】
タンク２１には、インクが収容されている。タンク２１には、注入口としての液体注入口２２が形成されている。タンク２１では、液体注入口２２を介してタンク２１の外部からタンク２１の内部にインクを注入することができる。なお、液体注入口２２をキャップ（図示しない）で封止する構成としてもよい。このような構成の場合、ユーザーは、タンク２１にインクを注入するときにキャップを開けて液体注入口２２を開放してからインクを注入することができる。
【００５０】
本実施例では、液体注入口２２は、タンク２１の＋Ｚ方向側に位置する注入面２３に形成された開口として構成されている。そして、本実施例では、プリンター１の使用姿勢において、注入面２３が傾斜している。注入面２３は、＋Ｙ方向側から−Ｙ方向側に向かうにつれて＋Ｚ方向側に向かう向きに傾斜している。このため、注入面２３は、鉛直方向と交差する方向に向いている。
【００５１】
注入面２３が鉛直方向と交差する方向に向いていれば、注入面２３に埃などの異物が堆積しにくい。このため、注入面２３に埃などの異物が付着しにくい。これにより、液体注入口２２に埃などの異物が侵入することを避けやすい。なお、タンク２１の構成は、上記に限定されない。タンク２１の構成としては、例えば、タンク２１の外形面から突出する管状の液体注入部を設けた構成としてもよい。
【００５２】
タンク２１は、少なくとも一部が透光性を有する部材で構成されている。タンク２１の＋Ｙ方向に位置する視認面２４は透光性を有し、視認面２４からタンク２１内のインクの収容量を視認することが可能である。視認面２４には、例えば、上限マーク２５や、下限マーク２６などが付加されている。ユーザーは、上限マーク２５及び下限マーク２６を目印にしてタンク２１におけるインクの量を把握することができる。
【００５３】
なお、上限マーク２５は、インクを液体注入口２２から注入したときに液体注入口２２から溢れないようなインク量の目安を示すものである。また、下限マーク２６は、インクの注入を促すときのインク量の目安を示すものである。上限マーク２５及び下限マーク２６のいずれか一方が設けられた構成としてもよい。
【００５４】
タンク２１は、注入面２３及び視認面２４と交差する側面２７と側面２８とを有している。タンク２１の視認面２４を＋Ｙ方向側から見たとき、側面２７は筐体２の側壁１３側（＋Ｘ方向側）に位置しており、側面２８は筐体２の側壁１４側（−Ｘ方向側）に位置している。
【００５５】
各タンク２１には、インク供給チューブ１７が接続される。タンク２１内のインクは、インク供給チューブ１７を介して記録ヘッド１５に供給される。そして、記録ヘッド１５に供給されたインクが、記録媒体Ｐ側に向けられたノズル（図示しない）からインク滴として吐出される。
【００５６】
インクは、水性インクと油性インクとのいずれか一方に限定されるものではない。また、水性インクとしては、水性溶媒に染料などの溶質が溶解した構成を有するもの、水性分散媒に顔料などの分散質が分散した構成を有するもののいずれでもよい。また、油性インクとしては、油性溶媒に染料などの溶質が溶解した構成を有するもの、油性分散媒に顔料などの分散質が分散した構成を有するもののいずれでもよい。
【００５７】
タンクユニット２０（４つのタンク２１）は、プリンター１の正面１１を＋Ｙ方向側から平面視したとき、図１及び図２に示す透明カバー５と重なる位置に設けられている。したがって、タンク２１の表面が外部に露出していなくても、ユーザーは、プリンター１の外部から透明カバー５を透してタンク２１を視認することができる。そして、ユーザーは、プリンター１の外部から、上限マーク２５及び下限マーク２６を目印にしてタンク２１におけるインクの量を把握することができる。
【００５８】
また、透明カバー５により、プリンター１（筐体２）の外部からタンク２１への埃塵の侵入や、外部からの接触等によるタンクユニット２０の損傷を防止できる。したがって、タンク２１の表面が外部に露出している場合と比べて、外部からの埃塵や損傷などによる視認性への悪影響を抑止できる。なお、タンク２１が筐体２の突出する部分の内部に配置されているので、筐体２の幅（Ｘ軸方向の長さ）を抑えてタンク２１の容量を大きくできる。
【００５９】
タンク２１にインクを補充する際は、図１及び図２に示す蓋６を筐体２に対してＲ１方向に回動させて、蓋６を筐体２に対して開く。これにより、蓋６が開いた部分から各タンク２１の一部（注入面２３）が露呈する。ユーザーは、蓋６を筐体２に対して開いた状態で、液体注入口２２を介して、プリンター１の外部からタンク２１の内部にインクを注入することができる。インクを補充した後、蓋６を閉じると、液体注入口２２は蓋６で覆われる。
【００６０】
（実施例２）
図４及び図５は、実施例２に係るプリンターの外観を示す斜視図である。詳しくは、図４は実施例２に係るプリンター１Ａを＋Ｘ方向側から見た斜視図であり、図５は−Ｘ方向側から見た斜視図である。図４及び図５に示すように、実施例２に係るプリンター１Ａは、筐体２Ａと、操作パネル３と、排紙部４と、透明カバー５Ａと、蓋６と、カバー９と、カバー１０と、を有している。
【００６１】
実施例２に係るプリンター１Ａは、実施例１に係るプリンター１と比べて、筐体２Ａに対して透明カバー５Ａ及び蓋６がＸ軸方向における反対側に配置されている点と、透明カバー５Ａが筐体２Ａに対して開閉可能に構成されている点とが異なる。ここでは、実施例２に係るプリンター１Ａの構成について、実施例１との相違点を説明し、実施例１と同じ構成要素については同一の符号を付してその説明を省略する。なお、以降の各実施例についても、前出の実施例との相違点を説明し同じ構成要素については同一の符号を付してその説明を省略する。
【００６２】
プリンター１Ａの正面１１を＋Ｙ方向側から見たとき、筐体２Ａのうち操作パネル３及び排紙部４の−Ｘ方向側（側壁１４側）の部分は、操作パネル３及び排紙部４が設けられた部分よりも＋Ｙ方向側に突出している。透明カバー５Ａ及び蓋６は、筐体２Ａのうち操作パネル３及び排紙部４の−Ｘ方向側（側壁１４側）であって、操作パネル３及び排紙部４が設けられた部分よりも＋Ｙ方向側に突出した部分に配置されている。すなわち、プリンター１Ａでは、実施例１に係るプリンター１に対して、タンクユニット２０（図３参照）がＸ軸方向における反対側（側壁１４側）に配置されている。
【００６３】
透明カバー５Ａは、蓋６が筐体２に対して開いている状態において、筐体２に対して開閉可能に構成されている。より具体的には、透明カバー５Ａは、図４に矢印で示すＲ２方向に回動可能に取り付けられている。Ｒ２方向は、Ｘ軸に沿った軸を回転軸として、＋Ｘ方向側からＹＺ平面を平面視したときに反時計回りの方向に相当する。透明カバー５Ａを筐体２に対してＲ２方向に回動させることによって、透明カバー５Ａを筐体２に対して手前側（＋Ｙ方向側）に開くことができる。これにより、各タンク２１の注入面２３（図３参照）に加えて、視認面２４（図３参照）が露呈する。
【００６４】
プリンター１Ａでは、タンク２１にインクを補充する際は、蓋６を筐体２に対してＲ１方向に回動させて開けてから、透明カバー５Ａを筐体２に対してＲ２方向に回動させて開く。透明カバー５Ａを開いた状態から透明カバー５ＡをＲ２方向とは反対方向に回動させることによって、透明カバー５Ａを筐体２に対して閉じることができる。蓋６が開いていない状態においては、蓋６により透明カバー５Ａの回動が抑制される。これにより、透明カバー５Ａが不用意に回動して開いてしまうことを防止できる。
【００６５】
（実施例３）
図６及び図７は、実施例３に係るプリンターの外観を示す斜視図である。詳しくは、図６は実施例３に係るプリンター１Ｂを＋Ｘ方向側から見た斜視図であり、図７は−Ｘ方向側から見た斜視図である。図６及び図７に示すように、実施例３に係るプリンター１Ｂは、筐体２と、操作パネル３と、排紙部４Ａと、透明カバー５と、蓋６と、カバー９と、カバー１０と、を有している。
【００６６】
実施例３に係るプリンター１Ｂは、実施例１に係るプリンター１に対して、排紙部４Ａの外端部が操作パネル３の外面及び筐体２の正面１１の外面よりも＋Ｙ方向側に位置している点が異なる。プリンター１Ｂでは、排紙部４Ａの外端部が、Ｙ軸方向において透明カバー５及び蓋６と略同一の位置に配置されている。透明カバー５及び蓋６は、筐体２の側壁１３側に配置されている。
【００６７】
インクを補充する際は、蓋６を筐体２に対して図６に示すＲ１方向に回動させて、蓋６を筐体２に対して開く。なお、実施例３において、実施例２と同様に、透明カバー５（５Ａ）が筐体２Ａに対して開閉可能に取り付けられた構成としてもよい。
【００６８】
（実施例４）
図８及び図９は、実施例４に係るプリンターの外観を示す斜視図である。詳しくは、図８は実施例４に係るプリンター１Ｃを＋Ｘ方向側から見た斜視図であり、図９は−Ｘ方向側から見た斜視図である。図８及び図９に示すように、実施例４に係るプリンター１Ｃは、筐体２Ａと、操作パネル３と、排紙部４Ａと、透明カバー５と、蓋６と、カバー９と、カバー１０と、を有している。
【００６９】
実施例４に係るプリンター１Ｃは、実施例３に係るプリンター１Ｂと比べて、筐体２Ａに対して透明カバー５及び蓋６がＸ軸方向における反対側（側壁１４側）に配置されている点が異なる。インクを補充する際は、蓋６を筐体２Ａに対して図８に示すＲ１方向に回動させて、蓋６を筐体２Ａに対して開く。なお、実施例４においても、実施例２と同様に、透明カバー５（５Ａ）が筐体２Ａに対して開閉可能に取り付けられた構成としてもよい。
【００７０】
（実施例５）
図１０及び図１１は、実施例５に係るプリンターの外観を示す斜視図である。詳しくは、図１０は実施例５に係るプリンター３０を＋Ｘ方向側から見た斜視図であり、図１１は−Ｘ方向側から見た斜視図である。図１０及び図１１に示すように、実施例５に係るプリンター３０は、筐体３１と、操作パネル３と、排紙部４と、透明カバー３２と、蓋３３と、給紙部（図示しない）を覆うカバー３４と、スキャナーユニット（図示しない）を覆うカバー３５と、を有している。
【００７１】
実施例５に係るプリンター３０は、実施例１に係るプリンター１に対して、Ｘ軸方向において筐体３１の長さがカバー３５の長さよりも長い点が異なる。蓋３３は、上述の各実施例と同様に、図１０に矢印で示すＲ１方向に回動可能に構成されている。カバー３５は、蓋３３と同様のＲ１方向に回動可能に構成されている。
【００７２】
プリンター３０では、Ｘ軸方向における筐体３１の長さがカバー３５の長さよりも長く、筐体３１の側壁１３がカバー３５の＋Ｘ方向側の端部よりも＋Ｘ方向側に位置している。より具体的には、筐体３１のうち、操作パネル３及び排紙部４よりも＋Ｙ方向側に突出した部分、すなわちタンクユニット２０（図３参照）が収容される部分のＸ軸方向における長さが、上述の各実施例の筐体と比べて長い。したがって、上述の各実施例と比べて、筐体３１の内部に収容するタンク２１（図３参照）の数を多くすることができる。また、これに伴って、透明カバー３２及び蓋３３のＸ軸方向における長さも、上述の各実施例と比べて長い。
【００７３】
蓋３３は、筐体３１に対して図１０に矢印で示すＲ１方向に回動可能な構成となっている。プリンター３０の上面１２を＋Ｚ方向側から平面視したとき、カバー３５は蓋３３の一部と重なっている。したがって、蓋３３は、カバー３５を筐体３１に対して開いた状態において、筐体３１に対して開閉可能な構成となっている。
【００７４】
プリンター３０のタンク２１にインクを補充する際は、カバー３５を筐体３１に対してＲ１方向に回動させて開けてから、蓋３３を筐体３１に対してＲ１方向に回動させて開く。これにより、蓋３３が不用意に回動して開いてしまうことを防止できる。なお、実施例５においても、実施例２と同様に、透明カバー３２が筐体３１に対して開閉可能に取り付けられた構成としてもよい。
【００７５】
（実施例６）
図１２及び図１３は、実施例６に係るプリンターの外観を示す斜視図である。詳しくは、図１２は実施例６に係るプリンター３０Ａを＋Ｘ方向側から見た斜視図であり、図１３は−Ｘ方向側から見た斜視図である。図１２及び図１３に示すように、実施例６に係るプリンター３０Ａは、筐体３６と、操作パネル３と、排紙部４と、透明カバー３２と、蓋３３と、給紙部（図示しない）を覆うカバー３７と、スキャナーユニット（図示しない）を覆うカバー３８と、を有している。
【００７６】
実施例６に係るプリンター３０Ａでは、実施例５と同様に、筐体３６のうち、操作パネル３及び排紙部４よりも＋Ｙ方向側に突出した部分のＸ軸方向における長さが、実施例１から実施例４までの筐体と比べて長い。したがって、筐体３６の内部に収容するタンク２１（図３参照）の数を多くすることが可能な構成となっている。
【００７７】
プリンター３０Ａの上面１２を＋Ｚ方向側から平面視したとき、カバー３８は、蓋３３の一部と重なっている。したがって、プリンター３０Ａのタンク２１（図３参照）にインクを補充する際は、カバー３８を筐体３６に対してＲ１方向に回動させて開けてから、蓋３３を筐体３６に対して図１２に矢印で示すＲ１方向に回動させて開く。なお、実施例６においても、実施例２と同様に、透明カバー３２が筐体３６に対して開閉可能に取り付けられた構成としてもよい。
【００７８】
（実施例７）
図１４及び図１５は、実施例７に係るプリンターの外観を示す斜視図である。詳しくは、図１４は実施例７に係るプリンター４０を＋Ｘ方向側から見た斜視図であり、図１５は−Ｘ方向側から見た斜視図である。図１４及び図１５に示すように、実施例７に係るプリンター４０は、筐体４１と、操作パネル３と、透明カバー５と、蓋６と、オートドキュメントフィーダー４２と、給排紙部４３と、を有している。
【００７９】
実施例７に係るプリンター４０は、実施例３に係るプリンター１Ｂに対して、オートドキュメントフィーダー４２を備えている点が異なる。オートドキュメントフィーダー４２は、スキャナーユニットを含む。オートドキュメントフィーダー４２により、積層された複数の原稿（画像などが記録された用紙）を一枚ずつ反転させながら順次給送して、スキャナーユニットで読み取ることが可能である。
【００８０】
オートドキュメントフィーダー４２は、筐体４１に対して回動可能に構成されており、プリンター４０の蓋としての機能も有している。オートドキュメントフィーダー４２は、図１４に矢印で示すＲ３方向に回動可能に構成されている。Ｒ３方向は、Ｙ軸に沿った軸を回転軸として、＋Ｙ方向側からＸＺ平面を平面視したときに反時計回りの方向に相当する。
【００８１】
オートドキュメントフィーダー４２を筐体４１に対してＲ３方向に回動させることによって、オートドキュメントフィーダー４２を筐体４１に対して開くことができる。オートドキュメントフィーダー４２を開いた状態からＲ３方向とは反対方向に回動させることによって、オートドキュメントフィーダー４２を筐体４１に対して閉じることができる。
【００８２】
給排紙部４３は、筐体４１における操作パネル３と同じ正面１１側に設けられている。プリンター４０では、記録媒体Ｐ（図３参照）が給排紙部４３から供給され、印刷された後、給排紙部４３に排紙される。透明カバー５及び蓋６は、筐体４１の正面１１に設けられ、操作パネル３及び給排紙部４３の＋Ｘ方向側（側壁１３側）に配置されている。
【００８３】
プリンター４０では、タンク２１（図３参照）にインクを補充する際は、オートドキュメントフィーダー４２を筐体４１に対してＲ３方向に回動させて開いてから、蓋６を筐体４１に対してＲ１方向に回動させて開く。オートドキュメントフィーダー４２が開いていない状態においては、蓋６の回動が抑制される。
【００８４】
（実施例８）
図１６及び図１７は、実施例８に係るプリンターの外観を示す斜視図である。詳しくは、図１６は実施例８に係るプリンター４０Ａを＋Ｘ方向側から見た斜視図であり、図１７は−Ｘ方向側から見た斜視図である。図１６及び図１７に示すように、実施例８に係るプリンター４０Ａは、筐体４１Ａと、操作パネル３と、透明カバー５と、蓋６と、オートドキュメントフィーダー４４と、給排紙部４３と、を有している。
【００８５】
実施例８に係るプリンター４０Ａは、実施例７に係るプリンター４０と比べて、筐体４１Ａに対して透明カバー５がＸ軸方向における反対側に配置されている点と、オートドキュメントフィーダー４４が時計回りの方向に回動する点とが異なる。
【００８６】
透明カバー５及び蓋６は、筐体４１Ａの正面１１に設けられ、操作パネル３及び給排紙部４３の−Ｘ方向側（側壁１４側）に配置されている。すなわち、プリンター４０Ａでは、実施例７に係るプリンター４０に対して、タンクユニット２０（図３参照）がＸ軸方向における反対側（側壁１４側）に配置されている。
【００８７】
オートドキュメントフィーダー４４は、図１６に矢印で示すＲ４方向に回動可能に構成されている。Ｒ４方向は、Ｙ軸に沿った軸を回転軸として、＋Ｙ方向側からＸＺ平面を平面視したときに時計回りの方向に相当する。オートドキュメントフィーダー４４を開いた状態からＲ４方向とは反対方向に回動させることによって、オートドキュメントフィーダー４４を筐体４１Ａに対して閉じることができる。
【００８８】
（実施例９）
本実施例以降の各実施例では、主に透明カバーの構成の特徴を説明し、他の構成要素については詳細な図示及びその説明を省略する。図１８及び図１９は、実施例９に係るプリンターの外観を示す斜視図である。詳しくは、図１８は実施例９に係るプリンター４６を＋Ｘ方向側から見た斜視図であり、図１９は−Ｘ方向側から見た斜視図である。図１８及び図１９に示すように、実施例９に係るプリンター４６は、筐体４７と、透明カバー４８とを有している。
【００８９】
透明カバー４８は、筐体４７の正面１１の＋Ｘ方向側（側壁１３側）に配置されている。透明カバー４８は、正面１１側のＸＺ平面に沿った面と、その面のＸ軸方向の両側に接続された２つのＹＺ平面に沿った面とを有している。透明カバー４８のうち、ＹＺ平面に沿った２つの面のそれぞれの面積は正面１１側のＸＺ平面に沿った面の面積よりも小さい。ＹＺ平面に沿った２つの面における、−Ｙ方向側かつ＋Ｚ方向側の隅は丸く形成されている。透明カバー４８は、図１８に矢印で示すＲ２方向に回動可能であり、インクを補充する際に筐体４７に対して手前側（＋Ｙ方向側）へ開閉可能に構成されている。
【００９０】
（実施例１０）
図２０及び図２１は、実施例１０に係るプリンターの外観を示す斜視図である。詳しくは、図２０は実施例１０に係るプリンター４６Ａを＋Ｘ方向側から見た斜視図であり、図２１は−Ｘ方向側から見た斜視図である。図２０及び図２１に示すように、実施例１０に係るプリンター４６Ａは、筐体４７Ａと、透明カバー４９とを有している。実施例１０に係るプリンター４６Ａは、実施例９に係るプリンター４６と比べて、筐体４７Ａに対して透明カバー４９がＸ軸方向における反対側に配置されている点が異なる。
【００９１】
透明カバー４９は、筐体４７Ａの正面１１の−Ｘ方向側（側壁１４側）に配置されている。透明カバー４９のうち、ＹＺ平面に沿った２つの面における−Ｙ方向側かつ＋Ｚ方向側の隅は角部となっている。透明カバー４９は、図２０に矢印で示すＲ２方向に回動可能であり、インクを補充する際に筐体４７Ａに対して手前側（＋Ｙ方向側）へ開閉可能に構成されている。
【００９２】
（実施例１１）
図２２は、実施例１１に係るプリンターの外観を示す斜視図である。詳しくは、図２２は、実施例１１に係るプリンター５０を＋Ｘ方向側から見た斜視図である。図２２に示すように、実施例１１に係るプリンター５０は、筐体５１と、透明カバー５２と、透明カバー５３とを有している。
【００９３】
透明カバー５２は、筐体５１の正面１１の＋Ｘ方向側（側壁１３側）に配置されている。透明カバー５３は、筐体５１の正面１１の−Ｘ方向側（側壁１４側）に配置されている。したがって、プリンター５０では、タンクユニット２０（図３参照）が筐体５１内部の側壁１３側及び側壁１４側の２か所に配置されている。透明カバー５２，５３は、正面１１側のＸＺ平面に沿った面と、その面のＸ軸方向の両側に接続された２つのＹＺ平面に沿った面とを有している。
【００９４】
側壁１３側に配置された透明カバー５２は、図２２に矢印で示すＲ５方向に回動可能である。Ｒ５方向は、Ｚ軸に沿った軸を回転軸として、＋Ｚ方向側からＸＹ平面を平面視したときに反時計回りの方向に相当する。したがって、透明カバー５２は、インクを補充する際に、筐体５１に対して外側（側壁１３側）へ開閉可能に構成されている。
【００９５】
側壁１４側に配置された透明カバー５３は、図２２に矢印で示すＲ６方向に回動可能である。Ｒ６方向は、Ｚ軸に沿った軸を回転軸として、＋Ｚ方向側からＸＹ平面を平面視したときに時計回りの方向に相当する。したがって、透明カバー５３は、インクを補充する際に、筐体５１に対して外側（側壁１４側）へ開閉可能に構成されている。
【００９６】
（実施例１２）
図２３は、実施例１２に係るプリンターの外観を示す斜視図である。詳しくは、図２３は、実施例１２に係るプリンター５０Ａを＋Ｘ方向側から見た斜視図である。図２３に示すように、実施例１２に係るプリンター５０Ａは、筐体５１と、透明カバー５２Ａと、透明カバー５３Ａとを有している。
【００９７】
透明カバー５２Ａは、筐体５１の正面１１の＋Ｘ方向側（側壁１３側）に配置されている。透明カバー５３Ａは、筐体５１の正面１１の−Ｘ方向側（側壁１４側）に配置されている。透明カバー５２Ａ，５３Ａは、図２３に矢印で示すＲ２方向に回動可能であり、インクを補充する際に、筐体５１に対して手前側（＋Ｙ方向側）へ開閉可能に構成されている。
【００９８】
（実施例１３）
図２４は、実施例１３に係るプリンターの外観を示す斜視図である。詳しくは、図２４は、実施例１３に係るプリンター５６を＋Ｘ方向側から見た斜視図である。図２４に示すように、実施例１３に係るプリンター５６は、筐体５７と、透明カバー５８とを有している。
【００９９】
透明カバー５８は、筐体５７の正面１１と側壁１３との角部（コーナー部）に配置されている。透明カバー５８は、正面１１（ＸＺ平面）に沿った面と、その面の＋Ｘ方向側に接続された側壁１３（ＹＺ平面）に沿った面とを有している。透明カバー５８は、図２４に矢印で示すＲ５方向に回動可能であり、インクを補充する際に筐体５７に対して外側（側壁１３側）へ開閉可能に構成されている。
【０１００】
（実施例１４）
図２５は、実施例１４に係るプリンターの外観を示す斜視図である。詳しくは、図２５は、実施例１４に係るプリンター５６Ａを−Ｘ方向側から見た斜視図である。図２５に示すように、実施例１４に係るプリンター５６Ａは、筐体５７Ａと、透明カバー５８Ａとを有している。実施例１４に係るプリンター５６Ａは、実施例１３に係るプリンター５６と比べて、筐体５７Ａに対して透明カバー５８ＡがＸ軸方向における反対側に配置されている点が異なる。
【０１０１】
透明カバー５８Ａは、筐体５７Ａの正面１１と側壁１４との角部に配置されている。透明カバー５８Ａは、正面１１（ＸＺ平面）に沿った面と、その面の−Ｘ方向側に接続された側壁１４（ＹＺ平面）に沿った面とを有している。透明カバー５８Ａは、図２５に矢印で示すＲ６方向に回動可能であり、インクを補充する際に筐体５７Ａに対して外側（側壁１４側）へ開閉可能に構成されている。
【０１０２】
（実施例１５）
図２６は、実施例１５に係るプリンターの外観を示す斜視図である。詳しくは、図２６は、実施例１５に係るプリンター６０を＋Ｘ方向側から見た斜視図である。図２６に示すように、実施例１５に係るプリンター６０は、筐体６１と、透明カバー６２とを有している。
【０１０３】
透明カバー６２は、筐体６１の正面１１と側壁１３との角部に配置されている。透明カバー６２は、正面１１（ＸＺ平面）に沿った面と、その面の＋Ｘ方向側に接続された側壁１３（ＹＺ平面）に沿った面と、それら２つの面の＋Ｚ方向側に接続された上面１２（ＸＹ平面）に沿った面とを有している。
【０１０４】
透明カバー６２は、図２６に矢印で示すＲ５方向に回動可能であり、インクを補充する際に筐体６１に対して外側（側壁１３側）へ開閉可能に構成されている。筐体６１の正面１１側における透明カバー６２の−Ｘ方向側には、窪み６３が設けられている。窪み６３により、透明カバー６２の−Ｘ方向側の端部に指を当接させて、容易に透明カバー６２を回動させることができる。
【０１０５】
（実施例１６）
図２７は、実施例１６に係るプリンターの外観を示す斜視図である。詳しくは、図２７は、実施例１６に係るプリンター６０Ａを−Ｘ方向側から見た斜視図である。図２７に示すように、実施例１６に係るプリンター６０Ａは、筐体６１Ａと、透明カバー６２Ａとを有している。実施例１６に係るプリンター６０Ａは、実施例１５に係るプリンター６０と比べて、筐体６１Ａに対して透明カバー６２ＡがＸ軸方向における反対側に配置されている点が異なる。
【０１０６】
透明カバー６２Ａは、筐体６１Ａの正面１１と側壁１４との角部に配置されている。透明カバー６２Ａは、正面１１（ＸＺ平面）に沿った面と、その面の−Ｘ方向側に接続された側壁１４（ＹＺ平面）に沿った面と、それら２つの面の＋Ｚ方向側に接続された上面１２（ＸＹ平面）に沿った面とを有している。
【０１０７】
透明カバー６２Ａは、図２７に矢印で示すＲ６方向に回動可能であり、インクを補充する際に筐体６１Ａに対して外側（側壁１４側）へ開閉可能に構成されている。筐体６１Ａの正面１１側における透明カバー６２Ａの＋Ｘ方向側には、窪み６３Ａが設けられている。窪み６３Ａにより、透明カバー６２Ａの＋Ｘ方向側の端部に指を当接させて、容易に透明カバー６２Ａを回動させることができる。
【０１０８】
（実施例１７）
図２８は、実施例１７に係るプリンターの外観を示す斜視図である。詳しくは、図２８は、実施例１７に係るプリンター６４を＋Ｘ方向側から見た斜視図である。図２８に示すように、実施例１７に係るプリンター６４は、筐体６５と、透明カバー６６とを有している。
【０１０９】
透明カバー６６は、筐体６５の正面１１と側壁１３との角部に配置されている。透明カバー６６は、正面１１（ＸＺ平面）に沿った面と、その面の＋Ｘ方向側に接続された側壁１３（ＹＺ平面）に沿った面と、上面１２（ＸＹ平面）に沿った面とを有している。透明カバー６６は、４つのタンク２１（図３参照）に対応して、ＹＺ平面に沿った隔壁により４つ箱状の部分に仕切られている。
【０１１０】
透明カバー６６のうち、上面１２に沿った面は回動可能な蓋部６７となっている。蓋部６７は、透明カバー６６の４つ箱状の部分のそれぞれの＋Ｚ方向側に設けられている。蓋部６７は、筐体６５に対して図２８に矢印で示すＲ１方向に回動可能であり、インクを補充する際に透明カバー６６の箱状の部分に対して上方側（＋Ｚ方向側）へ開閉可能に構成されている。
【０１１１】
なお、透明カバー６６の箱状の部分の個数、及び蓋部６７の個数は、４つに限定されず、タンクユニット２０のタンク２１の個数に対応して、４つを下回る個数や、４つを超える個数としてもよい。また、透明カバー６６が、互いに別体の４つの部分で構成されていてもよい。
【０１１２】
（実施例１８）
図２９は、実施例１８に係るプリンターの外観を示す斜視図である。詳しくは、図２９は、実施例１８に係るプリンター６４Ａを−Ｘ方向側から見た斜視図である。図２９に示すように、実施例１８に係るプリンター６４Ａは、筐体６５Ａと、透明カバー６６とを有している。
【０１１３】
実施例１８に係るプリンター６４Ａは、実施例１７に係るプリンター６４と比べて、筐体６５Ａに対して透明カバー６６がＸ軸方向における反対側に配置されている点が異なる。透明カバー６６は、筐体６５Ａの正面１１と側壁１４との角部に配置されている。透明カバー６６の４つ箱状の部分のそれぞれの＋Ｚ方向側は、図２９に矢印で示すＲ１方向に回動可能な蓋部６７となっている。
【０１１４】
（実施例１９）
図３０及び図３１は、実施例１９に係るプリンターの外観を示す斜視図である。詳しくは、図３０は実施例１９に係るプリンター７０を＋Ｘ方向側から見た斜視図であり、図３１は−Ｘ方向側から見た斜視図である。図３０及び図３１に示すように、実施例１９に係るプリンター７０は、筐体７１と、透明カバー７２とを有している。
【０１１５】
透明カバー７２は、筐体７１の正面１１と側壁１３との角部に配置されている。透明カバー７２は、正面１１（ＸＺ平面）に沿った面と、その面のＸ軸方向の両側に接続された２つのＹＺ平面に沿った面とを有している。透明カバー７２は、４つのタンク２１（図３参照）に対応して、ＹＺ平面に沿った隔壁により４つ箱状の部分に仕切られている。
【０１１６】
透明カバー７２は、筐体７１に対して、Ｙ軸に沿ってスライド可能に構成されている。インクを補充する際は、図３１に示す状態から、透明カバー７２を筐体７１に対して手前側（＋Ｙ方向側）にスライドさせる。これにより、図３０に示すように、透明カバー７２を筐体７１から＋Ｙ方向側に引き出すことができる。透明カバー７２が引き出された状態から筐体７１に対して−Ｙ方向側にスライドさせることで、図３１に示すように、透明カバー７２を筐体７１に収納することができる。
【０１１７】
（実施例２０）
図３２及び図３３は、実施例２０に係るプリンターの外観を示す斜視図である。詳しくは、図３２は実施例２０に係るプリンター７０Ａを＋Ｘ方向側から見た斜視図であり、図３３は−Ｘ方向側から見た斜視図である。図３２及び図３３に示すように、実施例２０に係るプリンター７０Ａは、筐体７１Ａと、透明カバー７２とを有している。実施例２０に係るプリンター７０Ａは、実施例１９に係るプリンター７０と比べて、筐体７１Ａに対して透明カバー７２がＸ軸方向における反対側に配置されている点が異なる。
【０１１８】
透明カバー７２は、筐体７１Ａの正面１１と側壁１４との角部に配置されている。透明カバー７２は、筐体７１Ａに対して、Ｙ軸に沿ってスライド可能に構成されており、インクを補充する際に図３２に示す状態から筐体７１Ａに対して手前側（＋Ｙ方向側）にスライドさせて、図３３に示すように筐体７１Ａから引き出すことができる。
【０１１９】
（実施例２１）
図３４は、実施例２１に係るプリンターの外観を示す斜視図である。詳しくは、図３４は実施例２１に係るプリンター７４を＋Ｘ方向側から見た斜視図である。図３４に示すように、実施例２１に係るプリンター７４は、筐体７５と、透明カバー７６と、蓋７７とを有している。
【０１２０】
透明カバー７６は、筐体７５の正面１１と側壁１３との角部に配置されている。透明カバー７６は、正面１１（ＸＺ平面）に沿った面と、その面の＋Ｘ方向側に接続された側壁１３（ＹＺ平面）に沿った面とを有している。透明カバー７６は、４つのタンク２１（図３参照）に対応して、ＹＺ平面に沿った隔壁により４つ箱状の部分に仕切られている。
【０１２１】
蓋７７は、透明カバー７６の＋Ｚ方向側に設けられており、上面１２（ＸＹ平面）に沿った面を有している。蓋７７は、筐体７５に対して図３４に矢印で示すＲ１方向に回動可能であり、インクを補充する際に透明カバー７６に対して上方側（＋Ｚ方向側）へ開閉可能に構成されている。
【０１２２】
（実施例２２）
図３５は、実施例２２に係るプリンターの外観を示す斜視図である。詳しくは、図３５は実施例２２に係るプリンター７４Ａを−Ｘ方向側から見た斜視図である。図３５に示すように、実施例２２に係るプリンター７４Ａは、筐体７５Ａと、透明カバー７６Ａと、蓋７７とを有している。実施例２２に係るプリンター７４Ａは、実施例２１に係るプリンター７４と比べて、筐体７５Ａに対して透明カバー７６Ａ及び蓋７７がＸ軸方向における反対側に配置されている点が異なる。
【０１２３】
透明カバー７６Ａは、筐体７５Ａの正面１１と側壁１４との角部に配置されている。透明カバー７６Ａは、正面１１（ＸＺ平面）に沿った面と、その面の−Ｘ方向側に接続された側壁１４（ＹＺ平面）に沿った面とを有している。透明カバー７６Ａは、４つのタンク２１（図３参照）に対応して、ＹＺ平面に沿った隔壁により４つ箱状の部分に仕切られている。
【０１２４】
蓋７７は、透明カバー７６Ａの＋Ｚ方向側に設けられている。蓋７７は、筐体７５Ａに対して図３５に矢印で示すＲ１方向に回動可能であり、インクを補充する際に透明カバー７６Ａに対して上方側（＋Ｚ方向側）へ開閉可能に構成されている。
【０１２５】
（実施例２３）
図３６は、実施例２３に係るプリンターの外観を示す斜視図である。詳しくは、図３６は、実施例２３に係るプリンター８０を＋Ｘ方向側から見た斜視図である。図３６に示すように、実施例２３に係るプリンター８０は、筐体８１と、４つの透明カバー８２とを有している。
【０１２６】
４つの透明カバー８２は、筐体８１の正面１１の＋Ｘ方向側（側壁１３側）の部分に、Ｘ軸に沿って互いに離間され並んで配置されている。４つの透明カバー８２は、４つのタンク２１（図３参照）に対応している。各透明カバー８２は、正面１１（ＸＺ平面）に沿った面と、その面の＋Ｚ方向側に配置された上面１２（ＹＺ平面）に沿った面とを有している。
【０１２７】
各透明カバー８２の上面１２に沿った面のうち＋Ｙ方向側の部分は、回動可能な蓋部８３となっている。蓋部８３は、筐体８１に対して図３６に矢印で示すＲ１方向に回動可能であり、インクを補充する際に筐体８１に対して上方側（＋Ｚ方向側）へ開閉可能に構成されている。
【０１２８】
（実施例２４）
図３７は、実施例２４に係るプリンターの外観を示す斜視図である。詳しくは、図３７は、実施例２４に係るプリンター８０Ａを−Ｘ方向側から見た斜視図である。図３７に示すように、実施例２４に係るプリンター８０Ａは、筐体８１Ａと、４つの透明カバー８２とを有している。
【０１２９】
実施例２４に係るプリンター８０Ａは、実施例２３に係るプリンター８０と比べて、筐体８１Ａに対して透明カバー８２がＸ軸方向における反対側に配置されている点が異なる。４つの透明カバー８２は、筐体８１Ａの正面１１の−Ｘ方向側（側壁１４側）の部分に、Ｘ軸に沿って互いに離間され並んで配置されている。各透明カバー８２の上面１２に沿った面のうち＋Ｙ方向側の部分は、図３７に矢印で示すＲ１方向に回動可能な蓋部８３となっている。
【０１３０】
（実施例２５）
図３８は、実施例２５に係るプリンターの外観を示す斜視図である。詳しくは、図３８は実施例２５に係るプリンター８４を＋Ｘ方向側から見た斜視図である。図３８に示すように、実施例２５に係るプリンター８４は、筐体８５と、４つの透明カバー８６とを有している。
【０１３１】
４つの透明カバー８６は、筐体８５の正面１１と側壁１３との角部に設けられている。４つの透明カバー８６は、Ｚ軸に沿って互いに離間され並んで配置されている。４つの透明カバー８６は、４つのタンク２１（図３参照）に対応している。各透明カバー８６は、箱状であり、正面１１（ＸＺ平面）に沿った面と、その面のＸ軸方向の両側に接続されたＹＺ平面に沿った２つの面とを有している。
【０１３２】
透明カバー８６は、正面１１側の面を指等で押すことにより、筐体８５から突出するように構成されている。インクを補充する際は、図３８に示すように、透明カバー８６を指等で押して筐体８５から手前側（＋Ｙ方向側）に突出させることができる。透明カバー８６が突出した状態から筐体８５側（−Ｙ方向側）に押すことで、透明カバー８６を筐体８５に収納することができる。
【０１３３】
（実施例２６）
図３９は、実施例２６に係るプリンターの外観を示す斜視図である。詳しくは、図３９は実施例２６に係るプリンター８４Ａを−Ｘ方向側から見た斜視図である。図３９に示すように、実施例２６に係るプリンター８４Ａは、筐体８５Ａと、４つの透明カバー８６とを有している。実施例２６に係るプリンター８４Ａは、実施例２５に係るプリンター８４と比べて、筐体８５Ａに対して透明カバー８６がＸ軸方向における反対側に配置されている点が異なる。
【０１３４】
４つの透明カバー８６は、筐体８５の正面１１と側壁１４との角部に設けられている。４つの透明カバー８６は、Ｚ軸に沿って互いに離間され並んで配置されている。インクを補充する際は、図３９に示すように、透明カバー８６を指等で押すことにより、筐体８５Ａから手前側（＋Ｙ方向側）に突出させることができる。
【０１３５】
（実施例２７）
図４０は、実施例２７に係るプリンターの外観を示す斜視図である。詳しくは、図４０は実施例２７に係るプリンター９０を＋Ｘ方向側から見た斜視図である。図４０に示すように、実施例２７に係るプリンター９０は、筐体９１と、４つの透明カバー９２とを有している。
【０１３６】
４つの透明カバー９２は、筐体９１の正面１１と側壁１３との角部に設けられている。４つの透明カバー９２は、Ｚ軸に沿って互いに離間され並んで配置されている。各透明カバー９２は、正面１１（ＸＺ平面）に沿った面と、側壁１３（ＹＺ平面）に沿った面とを有している。各透明カバー９２の正面１１に沿った面は、回動可能な窓部９３となっている。窓部９３は、指等で押すことにより筐体９１に対して図４０に矢印で示すＲ２方向に回動可能であり、インクを補充する際に筐体９１に対して手前側（＋Ｙ方向側）へ開閉可能に構成されている。
【０１３７】
（実施例２８）
図４１は、実施例２８に係るプリンターの外観を示す斜視図である。詳しくは、図４１は実施例２８に係るプリンター９０Ａを−Ｘ方向側から見た斜視図である。図４１に示すように、実施例２８に係るプリンター９０Ａは、筐体９１Ａと、４つの透明カバー９２Ａとを有している。実施例２８に係るプリンター９０Ａは、実施例２７に係るプリンター９０と比べて、筐体９１Ａに対して透明カバー９２ＡがＸ軸方向における反対側に配置されている点が異なる。
【０１３８】
４つの透明カバー９２Ａは、筐体９１Ａの正面１１と側壁１４との角部に設けられている。４つの透明カバー９２Ａは、Ｚ軸に沿って互いに離間され並んで配置されている。各透明カバー９２Ａは、正面１１（ＸＺ平面）に沿った面と、側壁１４（ＹＺ平面）に沿った面とを有している。各透明カバー９２Ａの正面１１に沿った面は、回動可能な窓部９３となっている。窓部９３は、指等で押すことにより筐体９１Ａに対して図４１に矢印で示すＲ２方向に回動可能であり、インクを補充する際に筐体９１Ａに対して手前側（＋Ｙ方向側）へ開閉可能に構成されている。
【０１３９】
（実施例２９）
図４２は、実施例２９に係るプリンターの外観を示す斜視図である。詳しくは、図４２は実施例２９に係るプリンター９４を＋Ｘ方向側から見た斜視図である。図４２に示すように、実施例２９に係るプリンター９４は、筐体９５と、４つの透明カバー９６とを有している。
【０１４０】
４つの透明カバー９６は、筐体９５の正面１１と側壁１３との角部に設けられている。４つの透明カバー９６は、Ｚ軸に沿って互いに離間され並んで配置されている。各透明カバー９６は、正面１１（ＸＺ平面）に沿った面と、側壁１３（ＹＺ平面）に沿った面とを有している。各透明カバー９６の側壁１３に沿った面は、回動可能な窓部９７となっている。窓部９７は、指等で押すことにより筐体９５に対して図４２に矢印で示すＲ４方向に回動可能であり、インクを補充する際に筐体９５に対して外側（＋Ｘ方向側）へ開閉可能に構成されている。
【０１４１】
（実施例３０）
図４３は、実施例３０に係るプリンターの外観を示す斜視図である。詳しくは、図４３は実施例３０に係るプリンター９４Ａを−Ｘ方向側から見た斜視図である。図４３に示すように、実施例３０に係るプリンター９４Ａは、筐体９５Ａと、４つの透明カバー９６Ａとを有している。実施例３０に係るプリンター９４Ａは、実施例２９に係るプリンター９４と比べて、筐体９５Ａに対して透明カバー９６ＡがＸ軸方向における反対側に配置されている点が異なる。
【０１４２】
４つの透明カバー９６Ａは、筐体９５Ａの正面１１と側壁１４との角部に設けられている。４つの透明カバー９６Ａは、Ｚ軸に沿って互いに離間され並んで配置されている。各透明カバー９６Ａは、正面１１（ＸＺ平面）に沿った面と、側壁１４（ＹＺ平面）に沿った面とを有している。各透明カバー９６Ａの側壁１４に沿った面は、回動可能な窓部９７Ａとなっている。窓部９７Ａは、指等で押すことにより筐体９５Ａに対して図４３に矢印で示すＲ３方向に回動可能であり、インクを補充する際に筐体９５Ａに対して外側（−Ｘ方向側）へ開閉可能に構成されている。
【０１４３】
（実施例３１）
図４４及び図４５は、実施例３１に係るプリンターの外観を示す斜視図である。詳しくは、図４４は実施例３１に係るプリンター１００を＋Ｘ方向側から見た斜視図であり、図４５は−Ｘ方向側から見た斜視図である。図４４及び図４５に示すように、実施例３１に係るプリンター１００は、筐体１０１と、透明カバー１０２とを有している。
【０１４４】
透明カバー１０２は、筐体１０１の＋Ｘ方向側（側壁１３側）の部分に配置されている。透明カバー１０２は、正面１１（ＸＺ平面）に沿った面と上面１２（ＸＹ平面）に沿った面とが湾曲面で接続された１つの面と、その面と接続された側壁１３（ＹＺ平面）に沿った面とを有している。透明カバー１０２は、図４４に矢印で示すＲ１方向に回動可能であり、インクを補充する際に筐体１０１に対して上方側（＋Ｚ方向側）へ開閉可能に構成されている。
【０１４５】
（実施例３２）
図４６及び図４７は、実施例３２に係るプリンターの外観を示す斜視図である。詳しくは、図４６は実施例３２に係るプリンター１００Ａを＋Ｘ方向側から見た斜視図であり、図４７は−Ｘ方向側から見た斜視図である。図４６及び図４７に示すように、実施例３２に係るプリンター１００Ａは、筐体１０１Ａと、透明カバー１０２Ａとを有している。実施例３２に係るプリンター１００Ａは、実施例３１に係るプリンター１００と比べて、筐体１０１Ａに対して透明カバー１０２ＡがＸ軸方向における反対側に配置されている点が異なる。
【０１４６】
透明カバー１０２Ａは、筐体１０１の−Ｘ方向側（側壁１４側）に配置されている。透明カバー１０２Ａは、正面１１（ＸＺ平面）に沿った面と上面１２（ＸＹ平面）に沿った面とが湾曲面で接続された１つの面と、その面と接続された側壁１４（ＹＺ平面）に沿った面とを有している。透明カバー１０２Ａは、図４６に矢印で示すＲ１方向に回動可能であり、インクを補充する際に筐体１０１Ａに対して上方側（＋Ｚ方向側）へ開閉可能に構成されている。
【０１４７】
（実施例３３）
図４８及び図４９は、実施例３３に係るプリンターの外観を示す斜視図である。詳しくは、図４８及び図４９は実施例３３に係るプリンター１０４を−Ｘ方向側から見た斜視図である。図４８及び図４９に示すように、実施例３３に係るプリンター１０４は、筐体１０５と、透明カバー１０６と、蓋１０７とを有している。
【０１４８】
透明カバー１０６は、筐体１０５の側壁１４に設けられている。透明カバー１０６は、側壁１４（ＹＺ平面）に沿った面を有している。蓋１０７は、筐体１０５の側壁１４に設けられ、透明カバー１０６の上方側（＋Ｚ方向側）に配置されている。蓋１０７は、透光性を有していてもよいし、透光性を有していなくてもよい。蓋１０７は、筐体１０５に対して図４８に矢印で示すＲ４方向に回動可能であり、インクを補充する際に透明カバー１０６に対して上方側（＋Ｚ方向側）へ開閉可能に構成されている。図４９に示すように、蓋１０７を開けた状態では、タンク２１の液体注入口２２が露呈する。
【０１４９】
（実施例３４）
図５０及び図５１は、実施例３４に係るプリンターの外観を示す斜視図である。詳しくは、図５０及び図５１は実施例３４に係るプリンター１０４Ａを＋Ｘ方向側から見た斜視図である。図５０及び図５１に示すように、実施例３４に係るプリンター１０４Ａは、筐体１０５Ａと、透明カバー１０６と、蓋１０７とを有している。実施例３４に係るプリンター１０４Ａは、実施例３３に係るプリンター１０４と比べて、筐体１０５Ａに対して透明カバー１０６及び蓋１０７がＸ軸方向における反対側に配置されている点が異なる。
【０１５０】
透明カバー１０６は、筐体１０５Ａの側壁１３に設けられている。透明カバー１０６は、側壁１３（ＹＺ平面）に沿った面を有している。蓋１０７は、筐体１０５Ａの側壁１３に設けられ、透明カバー１０６の上方側（＋Ｚ方向側）に配置されている。蓋１０７は、筐体１０５Ａに対して図５０に矢印で示すＲ３方向に回動可能であり、インクを補充する際に透明カバー１０６に対して上方側（＋Ｚ方向側）へ開閉可能に構成されている。図５１に示すように、蓋１０７を開けた状態では、タンク２１の液体注入口２２が露呈する。
【０１５１】
（実施例３５）
図５２は、実施例３５に係るプリンターの外観を示す斜視図である。詳しくは、図５２は実施例３５に係るプリンター１１０を＋Ｘ方向側から見た斜視図である。図５２に示すように、実施例３５に係るプリンター１１０は、筐体１１１と、４つの透明カバー１１２とを有している。
【０１５２】
４つの透明カバー１１２は、筐体１１１の正面１１の＋Ｘ方向側（側壁１３側）の部分に、Ｚ軸に沿って互いに離間され並んで配置されている。各透明カバー１１２は、各タンク２１（図３参照）に対応している。各透明カバー１１２は、正面１１（ＸＺ平面）に沿った面を有する箱状に構成されている。
【０１５３】
透明カバー１１２は、正面１１側の面の中央部を指等で押すことにより、筐体１１１から突出するように構成されている。インクを補充する際は、図５２に示すように、透明カバー１１２を指等で押して筐体１１１から手前側（＋Ｙ方向側）に突出させることができる。これにより、タンク２１（図３参照）の液体注入口２２が露呈する。透明カバー１１２が突出した状態から筐体１１１側（−Ｙ方向側）に押すことで、透明カバー１１２を筐体１１１に収納することができる。
【０１５４】
（実施例３６）
図５３は、実施例３６に係るプリンターの外観を示す斜視図である。詳しくは、図５３は実施例３６に係るプリンター１１０Ａを−Ｘ方向側から見た斜視図である。図５３に示すように、実施例３６に係るプリンター１１０Ａは、筐体１１１Ａと、４つの箱状の透明カバー１１２とを有している。実施例３６に係るプリンター１１０Ａは、実施例３５に係るプリンター１１０と比べて、筐体１１１Ａに対して透明カバー１１２がＸ軸方向における反対側に配置されている点が異なる。
【０１５５】
４つの透明カバー１１２は、筐体１１１Ａの正面１１の−Ｘ方向側（側壁１４側）の部分に、Ｚ軸に沿って互いに離間され並んで配置されている。インクを補充する際は、透明カバー１１２の正面１１側の面の中央部を指等で押すことにより、筐体１１１Ａから手前側（＋Ｙ方向側）に突出させることができる。
【０１５６】
（実施例３７）
図５４は、実施例３７に係るプリンターの外観を示す斜視図である。詳しくは、図５４は実施例３７に係るプリンター１１４を＋Ｘ方向側から見た斜視図である。図５４に示すように、実施例３７に係るプリンター１１４は、筐体１１５と、４つの透明カバー１１６とを有している。
【０１５７】
４つの透明カバー１１６は、筐体１１５の正面１１に設けられ、Ｘ軸に沿って並んで配置されている。各透明カバー１１６は、正面１１（ＸＺ平面）に沿った面を有している。透明カバー１１６は、指等で押すことにより、筐体１１５に対して図５４に矢印で示すＲ２方向に回動可能であり、インクを補充する際に筐体１１５に対して手前側（＋Ｙ方向側）へ開閉可能に構成されている。これにより、タンク２１の液体注入口２２が露呈する。透明カバー１１６が開いた状態から筐体１１５側（Ｒ２方向の反対方向）に押すことで、透明カバー１１６を筐体１１５に収納することができる。
【０１５８】
（実施例３８）
図５５は、実施例３８に係るプリンターの外観を示す斜視図である。詳しくは、図５５は実施例３８に係るプリンター１１７を＋Ｘ方向側から見た斜視図である。図５５に示すように、実施例３８に係るプリンター１１７は、筐体１１８と、４つの透明カバー１１９とを有している。筐体１１８の正面１１側（＋Ｙ方向側）かつ上面１２側（＋Ｚ方向側）には、ＸＹ平面に沿った段差面１２ａを有する段差部が形成されている。
【０１５９】
４つの透明カバー１１９は、筐体１１８の正面１１側の段差部に、Ｘ軸に沿って互いに離間され並んで配置されている。透明カバー１１９は、正面１１（ＸＺ平面）に沿った面と段差面１２ａ（ＸＹ平面）に沿った面とを有している。透明カバー１１９は、筐体１１８に対して図５５に矢印で示すＲ２方向に回動可能であり、インクを補充する際に指等で手前側（＋Ｙ方向側）へ倒すことにより筐体１１８に対して開閉可能に構成されている。これにより、タンク２１の液体注入口２２が露呈する。
【０１６０】
（実施例３９）
図５６は、実施例３９に係るプリンターの外観を示す斜視図である。詳しくは、図５６は実施例３９に係るプリンター１２０を＋Ｘ方向側から見た斜視図である。図５６に示すように、実施例３９に係るプリンター１２０は、筐体１２１と、４つの透明カバー１２２と、蓋１２３とを有している。筐体１２１の正面１１側（＋Ｙ方向側）かつ上面１２側（＋Ｚ方向側）には、ＸＹ平面に沿った段差面１２ａを有する段差部が形成されている。
【０１６１】
４つの透明カバー１２２は、筐体１２１の正面１１に、Ｘ軸に沿って互いに離間され並んで配置されている。透明カバー１２２は、正面１１（ＸＺ平面）に沿った面を有している。蓋１２３は、筐体１２１の段差部に設けられており、Ｘ軸方向において４つの透明カバー１２２が並んだ長さ以上の長さを有している。蓋１２３は、筐体１２１に対して図５６に矢印で示すＲ１方向に回動可能であり、インクを補充する際に透明カバー１２２に対して上方側（＋Ｚ方向側）へ開閉可能に構成されている。
【０１６２】
（実施例４０）
図５７は、実施例４０に係るプリンターの外観を示す斜視図である。詳しくは、図５７は実施例４０に係るプリンター１２４を＋Ｘ方向側から見た斜視図である。図５７に示すように、実施例４０に係るプリンター１２４は、筐体１２５と、４つの透明カバー１２６と、２つの透明カバー１２７とを有している。
【０１６３】
４つの透明カバー１２６は、筐体１２５の正面１１に設けられ、Ｘ軸に沿って並んで配置されている。各透明カバー１２６は、正面１１（ＸＺ平面）に沿った面を有している。透明カバー１２６は、指等で押すことにより、筐体１２５に対して図５７に矢印で示すＲ２方向に回動可能であり、インクを補充する際に筐体１２５に対して手前側（＋Ｙ方向側）へ開閉可能に構成されている。これにより、タンク２１の液体注入口２２が露呈する。
【０１６４】
透明カバー１２７は、側壁１３，１４（ＹＺ平面）に沿った面と湾曲面とを有し、４つの透明カバー１２６を間に挟んで、筐体１２５の正面１１から側壁１３と側壁１４とに回り込むように配置されている。したがって、４つの透明カバー１２６と２つの透明カバー１２７とが、筐体１２５の側壁１３と正面１１と側壁１４とに亘って帯状に配置されている。
【０１６５】
（実施例４１）
図５８は、実施例４１に係るプリンターの外観を示す斜視図である。詳しくは、図５８は実施例４１に係るプリンター１３０を＋Ｘ方向側から見た斜視図である。図５８に示すように、実施例４１に係るプリンター１３０は、筐体１３１と、４つの透明カバー１３２とを有している。
【０１６６】
４つの透明カバー１３２は、筐体１３１の正面１１に設けられ、Ｘ軸に沿って互いに離間され並んで配置されている。各透明カバー１３２は、正面１１（ＸＺ平面）に沿った面を有している。透明カバー１３２は、指等で押すことにより、筐体１３１に対して図５８に矢印で示すＲ２方向に回動可能であり、インクを補充する際に筐体１３１に対して手前側（＋Ｙ方向側）へ開閉可能に構成されている。これにより、タンク２１の液体注入口２２が露呈する。
【０１６７】
（実施例４２）
図５９及び図６０は、実施例４２に係るプリンターの外観を示す斜視図である。詳しくは、図５９及び図６０は実施例４２に係るプリンター１３４を＋Ｘ方向側から見た斜視図である。図５９及び図６０に示すように、実施例４２に係るプリンター１３４は、筐体１３５と、透明カバー１３６とを有している。
【０１６８】
図５９に示すように、透明カバー１３６は、筐体１３５の正面１１に設けられている。透明カバー１３６は、正面１１（ＸＺ平面）に沿った面を有している。透明カバー１３６は、筐体１３５に対して図５９に矢印で示すＲ２方向に回動可能であり、手前側（＋Ｙ方向側）へ開閉可能に構成されている。図６０に示すように、透明カバー１３６を開くと、タンク２１が露呈する。タンク２１を手前側（＋Ｙ方向側）へスライドさせることにより、タンク２１にインクを補充することができる。
【０１６９】
（実施例４３）
図６１及び図６２は、実施例４３に係るプリンターの外観を示す斜視図である。詳しくは、図６１及び図６２は実施例４３に係るプリンター１４０を＋Ｘ方向側から見た斜視図である。図６１及び図６２に示すように、実施例４３に係るプリンター１４０は、筐体１４１と、透明カバー１４２と、枠１４３とを有している。
【０１７０】
図６１に示すように、枠１４３は、筐体１４１の正面１１の上面１２側（＋Ｚ方向側）の部分に設けられている。透明カバー１４２は、枠１４３の内側に取り付けられている。枠１４３は、筐体１４１に対して図６１に矢印で示すＲ２方向に回動可能であり、透明カバー１４２とともに手前側（＋Ｙ方向側）へ開閉可能に構成されている。図６２に示すように、透明カバー１４２が取り付けられた枠１４３を開くと、タンク２１が露呈する。タンク２１を手前側（＋Ｙ方向側）へスライドさせることにより、液体注入口２２からタンク２１にインクを補充することができる。
【０１７１】
（実施例４４）
図６３及び図６４は、実施例４４に係るプリンターの外観を示す斜視図である。詳しくは、図６３及び図６４は実施例４４に係るプリンター１４４を＋Ｘ方向側から見た斜視図である。図６３及び図６４に示すように、実施例４４に係るプリンター１４４は、筐体１４５と、透明カバー１４６と、枠１４７とを有している。
【０１７２】
図６３に示すように、枠１４７は、筐体１４５の正面１１と上面１２側との角部に、正面１１及び上面１２に対して斜めに設けられている。透明カバー１４６は、枠１４７の内側に取り付けられている。枠１４７は、筐体１４５に対して図６３に矢印で示すＲ２方向に回動可能であり、透明カバー１４６とともに手前側（＋Ｙ方向側）へ開閉可能に構成されている。図６４に示すように、透明カバー１４６が取り付けられた枠１４７を開くと、タンク２１が露呈し、液体注入口２２からタンク２１にインクを補充することができる。
【０１７３】
（実施例４５）
図６５は、実施例４５に係るプリンターの外観を示す斜視図である。詳しくは、図６５は実施例４５に係るプリンター１５０を＋Ｘ方向側から見た斜視図である。図６５に示すように、実施例４５に係るプリンター１５０は、筐体１５１と、４つの透明カバー１５２とを有している。
【０１７４】
４つの透明カバー１５２は、筐体１５１の正面１１に設けられ、Ｘ軸に沿って並んで配置されている。各透明カバー１５２は、正面１１（ＸＺ平面）に沿った面を有している。筐体１５１の正面１１における４つの透明カバー１５２の＋Ｘ方向側には、操作パネル３が４つの透明カバー１５２とＸ軸に沿って並んで配置されている。
【０１７５】
透明カバー１５２は、指等で押すことにより、筐体１５１に対して図６５に矢印で示すＲ２方向に回動可能であり、インクを補充する際に筐体１５１に対して手前側（＋Ｙ方向側）へ開閉可能に構成されている。これにより、タンク２１の液体注入口２２が露呈する。
【０１７６】
（実施例４６）
図６６は、実施例４６に係るプリンターの外観を示す斜視図である。詳しくは、図６６は実施例４６に係るプリンター１５０Ａを−Ｘ方向側から見た斜視図である。図６６に示すように、実施例４６に係るプリンター１５０Ａは、筐体１５１Ａと、４つの透明カバー１５２とを有している。実施例４６に係るプリンター１５０Ａは、実施例４５に係るプリンター１５０と比べて、筐体１５１Ａに対して操作パネル３ＡがＸ軸方向における反対側に配置されている点が異なる。
【０１７７】
４つの透明カバー１５２は、筐体１５１Ａの正面１１に設けられ、Ｘ軸に沿って並んで配置されている。筐体１５１Ａの正面１１における４つの透明カバー１５２の−Ｘ方向側には、操作パネル３Ａが４つの透明カバー１５２とＸ軸に沿って並んで配置されている。
【０１７８】
透明カバー１５２は、指等で押すことにより、筐体１５１Ａに対して図６６に矢印で示すＲ２方向に回動可能であり、インクを補充する際に筐体１５１Ａに対して手前側（＋Ｙ方向側）へ開閉可能に構成されている。これにより、タンク２１の液体注入口２２が露呈する。
【０１７９】
（実施例４７）
図６７及び図６８は、実施例４７に係るプリンターの外観を示す斜視図である。詳しくは、図６７及び図６８は実施例４７に係るプリンター１５４を＋Ｘ方向側から見た斜視図である。図６７及び図６８に示すように、実施例４７に係るプリンター１５４は、筐体１５５と、透明カバー１５６と、蓋１５７とを有している。
【０１８０】
透明カバー１５６は、筐体１５５の正面１１の＋Ｘ方向側（側壁１３側）の部分に設けられている。透明カバー１５６は、正面１１（ＸＺ平面）に沿った面を有している。蓋１５７は、筐体１５５の正面１１の＋Ｘ方向側（側壁１３側）の部分に設けられ、透明カバー１５６の上方側（＋Ｚ方向側）に配置されている。蓋１５７は、透光性を有していてもよいし、透光性を有していなくてもよい。蓋１５７は、筐体１５５に対して図６７に矢印で示すＲ１方向に回動可能であり、インクを補充する際に透明カバー１５６に対して上方側（＋Ｚ方向側）へ開閉可能に構成されている。図６８に示すように、蓋１５７を開けた状態では、タンク２１の液体注入口２２が露呈する。
【０１８１】
（実施例４８）
図６９及び図７０は、実施例４８に係るプリンターの外観を示す斜視図である。詳しくは、図６９及び図７０は実施例４８に係るプリンター１５４Ａを−Ｘ方向側から見た斜視図である。図６９及び図７０に示すように、実施例４８に係るプリンター１５４Ａは、筐体１５５Ａと、透明カバー１５６と、蓋１５７とを有している。実施例４８に係るプリンター１５４Ａは、実施例４７に係るプリンター１５４と比べて、筐体１５５Ａに対して透明カバー１５６及び蓋１５７がＸ軸方向における反対側に配置されている点が異なる。
【０１８２】
透明カバー１５６は、筐体１５５Ａの正面１１の−Ｘ方向側（側壁１４側）の部分に設けられている。蓋１５７は、筐体１５５Ａの正面１１の−Ｘ方向側（側壁１４側）の部分に設けられ、透明カバー１５６の上方側（＋Ｚ方向側）に配置されている。蓋１５７は、筐体１５５Ａに対して図６９に矢印で示すＲ１方向に回動可能であり、インクを補充する際に透明カバー１５６に対して上方側（＋Ｚ方向側）へ開閉可能に構成されている。図７０に示すように、蓋１５７を開けた状態では、タンク２１の液体注入口２２が露呈する。
【０１８３】
以上、本発明の実施形態の各実施例について説明したが、本発明は、上述の実施例に限られるものではなく、その趣旨を逸脱しない範囲において種々の構成で実現することができる。例えば、発明の概要の欄に記載した各形態中の技術的特徴に対応する実施形態、実施例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１８４】
１，１Ａ，１Ｂ，１Ｃ，３０，３０Ａ，４０，４０Ａ，４６，４６Ａ，５０，５０Ａ，５６，５６Ａ，６０，６０Ａ，６４，６４Ａ，７０，７０Ａ，７４，７４Ａ，８０，８０Ａ，８４，８４Ａ，９０，９０Ａ，９４，９４Ａ、１００，１００Ａ，１０４，１０４Ａ，１１０，１１０Ａ，１１４，１１７，１２０，１２４，１３０，１３４，１４０，１４４，１５０，１５０Ａ，１５４，１５４Ａ…プリンター（記録装置）、２，２Ａ，３１，３６，４１，４１Ａ，４７，４７Ａ，５１，５７，５７Ａ，６１，６１Ａ，６５，６５Ａ，７１，７１Ａ，７５，７５Ａ，８１，８１Ａ，８５，８５Ａ，９１，９１Ａ，９５，９５Ａ，１０１，１０１Ａ，１０５，１０５Ａ，１１１，１１１Ａ，１１５，１１８，１２１，１２５，１３１，１３５，１４１，１４５，１５１，１５１Ａ，１５５，１５５Ａ…筐体、５，５Ａ，３２，４８，４９，５２，５２Ａ，５３，５３Ａ，５８，５８Ａ，６２，６２Ａ，６６，７２，７６，７６Ａ，８２，８６，９２，９２Ａ，９６，９６Ａ，１０２，１０２Ａ，１０６，１１２，１１６，１１９，１２２，１２６，１２７，１３２，１３６，１４２，１４６，１５２，１５６…透明カバー（視認可能部材）、２１…タンク。
【図１】
2018001446.tif 000003
【図２】
2018001446.tif 000004
【図３】
2018001446.tif 000005
【図４】
2018001446.tif 000006
【図５】
2018001446.tif 000007
【図６】
2018001446.tif 000008
【図７】
2018001446.tif 000009
【図８】
2018001446.tif 000010
【図９】
2018001446.tif 000011
【図１０】
2018001446.tif 000012
【図１１】
2018001446.tif 000013
【図１２】
2018001446.tif 000014
【図１３】
2018001446.tif 000015
【図１４】
2018001446.tif 000016
【図１５】
2018001446.tif 000017
【図１６】
2018001446.tif 000018
【図１７】
2018001446.tif 000019
【図１８】
2018001446.tif 000020
【図１９】
2018001446.tif 000021
【図２０】
2018001446.tif 000022
【図２１】
2018001446.tif 000023
【図２２】
2018001446.tif 000024
【図２３】
2018001446.tif 000025
【図２４】
2018001446.tif 000026
【図２５】
2018001446.tif 000027
【図２６】
2018001446.tif 000028
【図２７】
2018001446.tif 000029
【図２８】
2018001446.tif 000030
【図２９】
2018001446.tif 000031
【図３０】
2018001446.tif 000032
【図３１】
2018001446.tif 000033
【図３２】
2018001446.tif 000034
【図３３】
2018001446.tif 000035
【図３４】
2018001446.tif 000036
【図３５】
2018001446.tif 000037
【図３６】
2018001446.tif 000038
【図３７】
2018001446.tif 000039
【図３８】
2018001446.tif 000040
【図３９】
2018001446.tif 000041
【図４０】
2018001446.tif 000042
【図４１】
2018001446.tif 000043
【図４２】
2018001446.tif 000044
【図４３】
2018001446.tif 000045
【図４４】
2018001446.tif 000046
【図４５】
2018001446.tif 000047
【図４６】
2018001446.tif 000048
【図４７】
2018001446.tif 000049
【図４８】
2018001446.tif 000050
【図４９】
2018001446.tif 000051
【図５０】
2018001446.tif 000052
【図５１】
2018001446.tif 000053
【図５２】
2018001446.tif 000054
【図５３】
2018001446.tif 000055
【図５４】
2018001446.tif 000056
【図５５】
2018001446.tif 000057
【図５６】
2018001446.tif 000058
【図５７】
2018001446.tif 000059
【図５８】
2018001446.tif 000060
【図５９】
2018001446.tif 000061
【図６０】
2018001446.tif 000062
【図６１】
2018001446.tif 000063
【図６２】
2018001446.tif 000064
【図６３】
2018001446.tif 000065
【図６４】
2018001446.tif 000066
【図６５】
2018001446.tif 000067
【図６６】
2018001446.tif 000068
【図６７】
2018001446.tif 000069
【図６８】
2018001446.tif 000070
【図６９】
2018001446.tif 000071
【図７０】
2018001446.tif 000072